(57)【要約】【課題】携帯電話機等の携帯機器を腕等に保持したまま、その姿勢を自由に調整して使用することが可能な携帯機器ホルダの提供。【解決手段】身体に着脱可能なぬいぐるみと、携帯電話機Ｃの裏面Ｂに固定される連結具３と、ぬいぐるみに取り付けられ、連結具３を回転可能かつ所定の回転角度に保持する回転固定具４とを有し、携帯電話機Ｃの裏面Ｂに連結具３が固定され、この連結具３がぬいぐるみに取り付けられた状態で、携帯電話機Ｃがぬいぐるみとともに腕に取り付けられる。これにより、携帯電話機Ｃは、腕に取り付けたままの状態で所定の回転角度に回転させ、その回転角度で保持して使用することができる。【選択図】  図４
0003125858.tif 000002
【実用新案登録請求の範囲】
【請求項１】
身体に着脱可能なアクセサリと、
携帯機器の裏面に固定される連結具と、
前記アクセサリに取り付けられ、前記連結具を回転可能かつ所定の回転角度に保持する回転固定具と
を有する携帯機器ホルダ。
【請求項２】
前記アクセサリは、拡縮可能な開口部を有するものであり、
前記回転固定具は、前記開口部から前記アクセサリ内に収容されることにより前記アクセサリに着脱可能に固定されるものである
請求項１記載の携帯機器ホルダ。
【請求項３】
前記連結具は、前記携帯機器に固定される第１の連結具と、前記回転固定具に回転可能に保持される第２の連結具とから構成され、前記第１の連結具と第２の連結具とは、スライドして着脱しかつ固定可能なものである請求項１または２に記載の携帯機器ホルダ。
【請求項４】
前記回転固定具は、内部に物を収納する機能を有するものである請求項１から３のいずれかに記載の携帯機器ホルダ。
【請求項５】
前記アクセサリが、ぬいぐるみである請求項１から４のいずれかに記載の携帯機器ホルダ。
【考案の詳細な説明】
【技術分野】
【０００１】
本考案は、携帯電話機や携帯音楽プレイヤ等の携帯機器を腕や脚等に保持する携帯機器ホルダに関する。
【背景技術】
【０００２】
携帯電話機をぬいぐるみに保持させて腕に脱着可能とした携帯電話機ホルダとして、例えば、特許文献１〜５に記載のものが知られている。これらの特許文献１〜５に記載のホルダは、携帯電話機を袋内に収容して保持するものである。また、特許文献６〜８には、携帯電話機を腕に保持したまま、ディスプレイ面を見ることができる携帯電話機ホルダが記載されている。さらに、特許文献８には、ケースの向きを縦方向または横方向にするためにベルト上での回転式とした携帯電話機ホルダが記載されている。
【０００３】
【特許文献１】特開２００３−２０４８１０号公報
【特許文献２】実用新案登録第３１０３６３７号公報
【特許文献３】実用新案登録第３０７６２６９号公報
【特許文献４】実用新案登録第３０７４２８３号公報
【特許文献５】特開２００４−４１６６３号公報
【特許文献６】特開２００３−２２９９４４号公報
【特許文献７】特開２００３−２８９９１４号公報
【特許文献８】特開２００２−３６９７０９号公報
【考案の開示】
【考案が解決しようとする課題】
【０００４】
特許文献１〜５のホルダでは、携帯電話機を使用する際には袋から取り出す必要があり、面倒である。また、特許文献８のホルダは、ケースの向きを縦方向または横方向にするために回転式としたものであり、使用の際には、携帯電話機をケースから取り出す必要がある。
【０００５】
また、特許文献６，７のホルダでは、携帯電話機を腕に保持したまま使用することができるものの、携帯電話機がベルトに固定されているので、実際に使用する際に携帯電話機がちょうど良い姿勢になっているかどうか分からない。
【０００６】
そこで、本考案においては、携帯電話機等の携帯機器を腕等に保持したまま、その姿勢を自由に調整して使用することが可能な携帯機器ホルダを提供することを目的とする。
【課題を解決するための手段】
【０００７】
本考案の携帯機器ホルダは、身体に着脱可能なアクセサリと、携帯機器の裏面に固定される連結具と、アクセサリに取り付けられ、連結具を回転可能かつ所定の回転角度に保持する回転固定具とを有するものである。
【０００８】
本考案の携帯機器ホルダによれば、携帯機器の裏面に連結具が固定され、この連結具がアクセサリに取り付けられた状態で、携帯機器がアクセサリとともに身体に取り付けられる。これにより、携帯機器は、身体に取り付けたままの状態で所定の回転角度に回転させ、その回転角度で保持することができる。このとき、連結具は携帯機器の操作を行う表面ではなく裏面に固定されているので、身体に保持したまま、携帯機器の姿勢を自由に調整して使用することが可能となる。
【０００９】
ここで、アクセサリは、拡縮可能な開口部を有するものであり、回転固定具は、開口部からアクセサリ内に収容されることによりアクセサリに着脱可能に固定されるものであることが望ましい。これにより、回転固定具は、開口部を収縮させることでアクセサリに対して着脱可能となるため、アクセサリを容易に交換することが可能となる。
【００１０】
また、連結具は、携帯機器に固定される第１の連結具と、回転固定具に回転可能に保持される第２の連結具とから構成され、第１の連結具と第２の連結具とは、スライドして着脱しかつ固定可能なものであることが望ましい。これにより、第１の連結具のみを携帯機器に固定しておけば、この第１の連結具を第２の連結具に対してスライドして着脱しかつ固定することができるので、必要時には携帯機器を容易に着脱することが可能となる。
【００１１】
また、回転固定具は、内部に物を収納する機能を有するものであることが望ましい。これにより、携帯機器のバッテリやその他の付属品等をこの回転固定具内に収納して携帯機器とともに持ち歩くことが可能となる。
【考案の効果】
【００１２】
（１）身体に着脱可能なアクセサリと、携帯機器の裏面に固定される連結具と、アクセサリに取り付けられ、連結具を回転可能かつ所定の回転角度に保持する回転固定具とを有するものである。本考案の携帯機器ホルダによれば、携帯電話機を、身体に取り付けたままの状態で所定の回転角度に回転させ、その回転角度で保持することができるので、身体に保持したまま、その姿勢を自由に調整して使用することが可能となる。
【００１３】
（２）アクセサリが、拡縮可能な開口部を有するものであり、回転固定具が、開口部からアクセサリ内に収容されることによりアクセサリに着脱可能に固定されるものであることにより、アクセサリを容易に交換することが可能となり、使用する場面に合わせてアクセサリを選択することが可能となる。
【００１４】
（３）連結具が、携帯機器に固定される第１の連結具と、回転固定具に回転可能に保持される第２の連結具とから構成され、第１の連結具と第２の連結具とが、スライドして着脱しかつ固定可能なものであることにより、必要時には携帯機器を容易に着脱することが可能となる。
【００１５】
（４）回転固定具が、内部に物を収納する機能を有するものであることにより、携帯機器のバッテリやその他の付属品等をこの回転固定具内に収納して携帯機器とともに持ち歩くことが可能となる。
【考案を実施するための最良の形態】
【００１６】
図１は本考案の実施の形態における携帯機器ホルダの斜視図、図２は図１の携帯機器ホルダから回転固定具および連結具を取り外した状態を示す斜視図、図３は図１の携帯機器ホルダから取り外した回転固定具および連結具の斜視図、図４は図３の回転固定具から連結具を取り外し、携帯電話機の裏面に取り付けた状態を示す斜視図、図５は図４の回転固定具へ携帯電話機を取り付ける状態を示す側面図である。
【００１７】
図１に示すように、本考案の実施の形態における携帯機器ホルダ１は、身体に装着可能なアクセサリとしてのぬいぐるみ２と、携帯機器としての携帯電話機Ｃ（図４参照。）に固定される連結具３と、ぬいぐるみ２に取り付けられ、連結具３を回転可能に保持する回転固定具４と、ぬいぐるみ２を使用者の腕に固定するためのバンド５とから構成される。
【００１８】
図２に示すように、ぬいぐるみ２は、回転固定具４を収容する収容部２ａを備える。収容部２ａの開口部２ｂの周縁には、開口部２ｂを拡縮可能にするためのゴムが設けられている。回転固定具４を収容部２ａに収容した際には、このゴムの端部２ｃを引くことで開口部２ｂを収縮させて固定することができる。また、回転固定具４を取り外す際には、ゴムの端部２ｃを開放することで開口部２ｂを拡げることができる。
【００１９】
図３から図５に示すように、連結具３は、携帯電話機Ｃの裏面Ｂに両面粘着テープ等により固定される。連結具３は、回転固定具４に回転可能に保持された連結具６と対をなすものである。連結具３は、図５の下方の面が開口された中空部３ａを有している。連結具３は、この中空部３ａ内に、連結具６の舌部６ａをスライドして着脱することが可能である。また、図示しないが、中空部３ａ内および舌部６ａの表面には、互いに嵌合する凹凸部が設けられており、連結具３の中空部３ａ内に連結具６の舌部６ａがはめ込まれた際にこの凹凸部が嵌合することで、連結具３，６は固定される。
【００２０】
回転固定具４は、内部に物を収納可能な筐体４ａと、連結具６を所定角度単位で回転し、かつ所定の回転角度で保持することが可能な回転軸部４ｂと、ぬいぐるみ２の両手両足の内部に挿入され、ぬいぐるみ２の両手両足を開閉させて使用者の腕に固定するための腕部４ｃとから構成される。
【００２１】
筐体４ａは、上部に開閉可能な蓋４ｄを備え、この蓋４ｄを開閉して内部に物を入れたり、内部の物を取り出したりすることが可能である。回転軸部４ｂは、図５の水平方向を軸として、所定角度、例えば３０°ずつ、３６０°回転することが可能である。また、この回転軸部４ｂは３０°ごとに固定されるようになっている。腕部４ｃは、使用者の腕を挟持しやすいように湾曲させた形状であって、両側の腕部４ｃを閉じる方向にバネ（図示せず。）により付勢されており、両側の爪部４ｅを、筐体４ａを挟み込むように内側へ押すことで、開くことが可能となっている。
【００２２】
図６は本実施形態における携帯機器ホルダ１に携帯電話機Ｃを取り付けた状態を示す斜視図、図７および図８は本実施形態における携帯機器ホルダ１の使用状態を示す図である。
【００２３】
上記構成の携帯機器ホルダ１は、携帯電話機Ｃの裏面Ｂに連結具３を固定し、ぬいぐるみ２に固定された回転固定具４の連結具６にはめ込んで使用する（図６参照。）。そして、この携帯機器ホルダ１の爪部４ｅを内側へ押して腕部４ｃを開き、使用者Ｐの腕Ａに取り付ける。また、この携帯機器ホルダ１が容易に落ちないようにベルト５を使用して、腕Ａに固定する。
【００２４】
この状態において、携帯電話機Ｃに着信等があった場合には、携帯電話機Ｃを腕Ａに取り付けたままの状態で使用することが可能である。ここで、連結具３は、携帯電話機Ｃの操作を行う表面や側面ではなく、裏面Ｂに固定されているので、このままの状態で携帯電話機Ｃの表面や側面のボタン操作を行ったり、側面のジャック（図示せず。）にイヤホンマイクＥを取り付ける操作を行ったり、表面の操作画面を見たりすることが可能である。
【００２５】
また、本実施形態における携帯機器ホルダ１では、図８に示すように、腕Ａに取り付けたままの状態で３０°ずつ回転させ、それぞれの回転角度で保持することができるので、携帯電話機Ｃの姿勢を自由に調整して使用することが可能である。また、携帯電話機Ｃは、連結具３とともに、回転固定具４に固定された連結具６からスライドして容易に取り外すことができるので、必要時には携帯電話機Ｃを取り外して使用することが可能である。
【００２６】
また、本実施形態における携帯機器ホルダ１は、ぬいぐるみ２から回転固定具４を取り外して、ぬいぐるみ２を容易に交換することができるので、使用する場面に合わせて異なるぬいぐるみを取り付けて使用することが可能である。また、本実施形態における携帯機器ホルダ１では、回転固定具４の筐体４ａ内に物を収納することができるので、携帯電話機Ｃのバッテリやその他の付属品等を収納して持ち歩くことが可能である。
【００２７】
なお、本実施形態においては、腕Ａに保持したまま携帯電話機Ｃを使用する例について説明したが、携帯電話機Ｃ以外にも携帯音楽プレイヤ等を取り付けて使用することや、腕Ａ以外の身体の部分、例えば脚に取り付けて使用することも可能である。
【産業上の利用可能性】
【００２８】
本考案は、携帯電話機や携帯音楽プレイヤ等の携帯機器を腕や脚等に保持するための携帯機器ホルダとして有用である。特に、本考案は、携帯機器を腕等に保持したまま、その姿勢を自由に調整して使用することが可能な携帯機器ホルダとして好適である。
【図面の簡単な説明】
【００２９】
【図１】本考案の実施の形態における携帯機器ホルダの斜視図である。
【図２】図１の携帯機器ホルダから回転固定具および連結具を取り外した状態を示す斜視図である。
【図３】図１の携帯機器ホルダから取り外した回転固定具および連結具の斜視図である。
【図４】図３の回転固定具から連結具を取り外し、携帯電話機の裏面に取り付けた状態を示す斜視図である。
【図５】図４の回転固定具へ携帯電話機を取り付ける状態を示す側面図である。
【図６】本実施形態における携帯機器ホルダに携帯電話機を取り付けた状態を示す斜視図である。
【図７】本実施形態における携帯機器ホルダの使用状態を示す図である。
【図８】本実施形態における携帯機器ホルダの使用状態を示す図である。
【符号の説明】
【００３０】
Ｃ  携帯電話機
１  携帯機器ホルダ
２  ぬいぐるみ
２ａ  収容部
２ｂ  開口部
２ｃ  端部
３  連結具
３ａ  中空部
４  回転固定具
４ａ  筐体
４ｂ  回転軸部
４ｃ  腕部
４ｄ  蓋
４ｅ  爪部
５  バンド
６  連結具
６ａ  舌部
【図１】
0003125858.tif 000003
【図２】
0003125858.tif 000004
【図３】
0003125858.tif 000005
【図４】
0003125858.tif 000006
【図５】
0003125858.tif 000007
【図６】
0003125858.tif 000008
【図７】
0003125858.tif 000009
【図８】
0003125858.tif 000010